(57)【要約】【課題】  建物用型枠兼断熱建材であって、その主体分を断熱パネルにより構成してその軽量化を図りながら補強することができ、建材同士を傷つけたり、破損したりすることなく的確に結合できると共に結合作業能率を大幅に向上させることができ、またコンクリートの側圧により、たわんだり、破損したりすることがない。【解決手段】  建物用型枠兼断熱建材は、発泡合成樹脂材製の断熱パネル１と、断熱パネル１の上端面１ｕの厚み方向中間部に差込み固定されるＴバー２と、断熱パネル１の下端面１ｌの全長に亘り、その厚み方向中間部に埋入固定されるさや部材５よりなり、Ｔバー２は横断面横Ｔ字状に形成されて取付孔３が設けられ、また、Ｔバー２の鉛直部２ｖが差し込まれるさや部材５は、その開口下端に断熱パネル１の下端面１ｌに末広状に拡開される案内部５ｇが形成される。【選択図】    図１
2005163426.tif 000002
【特許請求の範囲】
【請求項１】
ポリスチレンなどの発泡合成樹脂材により四角な板状に形成される断熱パネル（１）と、該断熱パネル（１）の上端面の厚み方向中間部に差込み固定されるＴバー（２）と、該断熱パネル（１）の下端面の全長に亘り、その厚み方向中間部に埋入固定されるさや部材（５）とを備え、
前記Ｔバー（２）は上下方向に延びる鉛直部（２ｖ）およびその鉛直部（２ｖ）の中間部から横方向に延びる水平部（２ｈ）とより横断面横Ｔ字状に形成されてその水平部（２ｈ）に取付孔（３）が穿設されてなり、前記鉛直部（２ｖ）の下半部が前記断熱パネル（１）の上端面（１ｕ）の幅方向中間部に差込み固定されると共に前記水平部（２ｈ）が断熱パネル（１）の上端面（１ｕ）に着座され、また、さや部材（５）は、前記Ｔバー（  ２）の鉛直部（２ｖ）の延長線上に沿って設けられて、その開口下端に断熱パネル（１）の下端面（１ｌ）に末広状に拡開される案内部（５ｇ）が形成されていることを特徴とする、型枠兼断熱建材。
【請求項２】
基礎（Ｂ）上に間隔をあけて前記型枠兼断熱建材を複数段に鉛直方向に直列して建て込んで内、外側の型枠壁（Ｍｉ，Ｍｏ）を立設し、それらの型枠壁（Ｍｉ，Ｍｏ）間にコンクリートの打設空間（Ｓ）を形成してなる、前記型枠兼断熱建材を使用した建築用型枠であって、
各段に対応する左右両型枠兼断熱建材の上端面間に複数のかすがい状アッセンブリタイ（９）を跨がらせてその両端を、左右両型枠兼断熱建材のＴバー（２）の取付孔（３）にそれぞれ差し込み、各下段の左右型枠兼断熱建材の上端面のＴバー（２）の鉛直部（２ｖ）の上半部に、各上段の左右型枠兼断熱建材の下端面のさや部材（５）をそれぞれ差し込んで上、下の型枠兼断熱建材を一体に結合したことを特徴とする、前記型枠兼断熱建材を使用した建築用型枠。
【発明の詳細な説明】
【技術分野】
【０００１】
本発明は、コンクリート躯体を有する建築物の、型枠兼断熱建材およびその型枠兼断熱建材を使用した建築用型枠に関するものである。
【背景技術】
【０００２】
従来、コンクリート躯体を有する建築物において、そのコンクリート躯体を成形する型枠の構築用型枠板（コンクリートパネル）として使用できる外、建築物の構築後は、解体せずにそのままコンクリート壁の補強用建材として使用できるようにした、型枠兼用建材が知られている（たとえば、特許文献１参照）。
【特許文献１】特公昭５２−９７２１９号公報
【発明の開示】
【発明が解決しようとする課題】
【０００３】
ところで、かかる従来の型枠兼用建材は、型枠板を解体する手間が省け、また型枠板を断熱壁などの建材としてそのまま利用できるという利点があるが、その型枠兼用建材が型枠として利用される場合には、それが打設コンクリートの打設圧力に耐えて変形、損傷することがないように補強する必要があって、その重量増を招き、その作業性が悪くなるという問題があった。
【０００４】
本発明は、かかる実情に鑑みてなされたものであり、型枠兼断熱建材の主体部分をポリスチレンなどの発泡合成樹脂製の断熱パネルにより構成して軽量化と高断熱性を確保しながらその強度を大幅に高め、型枠板として使用して型枠を組み付けるときに、損傷、破損することがなく、特にコンクリートの打設時のコンクリート側圧による型枠板の損傷、たわみを防止し、型枠板として組み付けるときの組付性を大幅に高めることができるようにした、新規な型枠兼断熱建材およびその建材を用いた建築用型枠を提供することを目的とするものである。
【課題を解決するための手段】
【０００５】
上記目的を達成するために、請求項１記載の発明は、ポリスチレンなどの発泡合成樹脂材により四角な板状に形成される断熱パネルと、該断熱パネルの上端面の厚み方向中間部に差込み固定されるＴバーと、該断熱パネルの下端面の全長に亘り、その厚み方向中間部に埋入固定されるさや部材とを備え、
前記Ｔバーは上下方向に延びる鉛直部およびその鉛直部の中間部から横方向に延びる水平部とより横断面横Ｔ字状に形成されてその水平部に取付孔が穿設されてなり、前記鉛直部の下半部が前記断熱パネルの上端面の幅方向中間部に差込み固定されると共に前記水平部が断熱パネルの上端面に着座され、また、さや部材は、前記Ｔバーの鉛直部の延長線に沿って設けられて、その開口下端に断熱パネルの下端面に末広状に拡開される案内部が形成されていることを特徴としている。
【０００６】
また、上記目的を達成するために、請求項２記載の発明は、基礎上に間隔をあけて型枠兼断熱建材を複数段に鉛直方向に直列して建て込んで内、外側の型枠壁を立設し、それらの型枠壁間にコンクリートの打設空間を形成してなる、前記型枠兼断熱建材を使用した建築用型枠であって、
各段に対応する左右両型枠兼断熱建材の上端面間に複数のかすがい状アッセンブリタイを跨がらせてその両端を、左右両型枠兼断熱建材のＴバーの取付孔にそれぞれ差し込み、各下段の左右型枠兼断熱建材の上端面のＴバーの鉛直部の上半部に、各上段の左右型枠兼断熱建材の下端面のさや部材をそれぞれ差し込んで上、下の型枠兼断熱建材を一体に結合したことを特徴としている。
【発明の効果】
【０００７】
以上のように本請求項１記載の発明によれば、型枠兼断熱建材の主体部分をポリスチレンなどの発泡合成樹脂製の断熱パネルにより構成して軽量化と高断熱性を確保しながらその強度を大幅に高め、型枠板として使用して型枠を組み付けるときに、損傷、破損することがなく、コンクリートの打設時のコンクリート側圧による型枠板の損傷、たわみを防止し、型枠板として組み付けるときの組付性を大幅に高めることができる。特に、断熱パネルは、その下部に、切れ込みを入れたにもかかわらずさや部材により補強することができ、コンクリートの側圧により、たわんだり、破損したりすることがない。また、上、下の断熱パネルを結合する場合にさや部材の開口下端には、末広状に拡開された案内部を形成したので、このさや部材へのＴバーの鉛直部の差し込み操作が容易となり、しかも、Ｔバーの先端で、断熱パネルを傷つけたり、破損したりすることが防止される。
【０００８】
また、本請求項２記載の発明によれば、コンクリート型枠を成形するにあたって、下段の断熱パネルと上段の断熱パネルとを結合する場合に、さや部材の開口下端の案内部により、さや部材へのＴバーの鉛直部の差し込み操作が容易となり、Ｔバーの先端で、断熱パネルを傷つけたり、破損したりすることが防止され、下段の断熱パネル上に、上段の断熱パネル１とを的確に結合できると共に結合作業能率を大幅に向上させることができる。また、各断熱パネルは、コンクリートの打設時の側圧により、たわんだり、破損したりすることがなく、さらにＴバーを切断することなく断熱パネルを切断することができ、その切断作業が容易になる。
【発明を実施するための最良の形態】
【０００９】
以下、本発明の実施の形態を、添付図面に例示した本発明の実施例に基づいて以下に具体的に説明する。
【００１０】
まず、図１〜４を参照して、本発明の第１実施例について説明する。
【００１１】
図１は、本発明型枠兼断熱建材の一部破断斜視図、図２は、図１の２矢視の型枠兼断熱建材の平面図、図３は、図２の３−３線に沿う断面図、図４は、型枠兼断熱建材により組み立てられたコンクリート型枠の断面図である。
【００１２】
まず、図１〜３を参照して、本発明にかかる型枠兼断熱建材の構成について説明すると、この型枠兼断熱建材は、その主体部が硬質の断熱合成樹脂材の単体により、全体が横長の長方形の板状に形成された断熱パネル１よりなり、その断熱パネル１の上端面１ｕには、亜鉛鋼板などの金属板を折り曲げ加工して形成される細長いＴバー２（後述）が、該断熱パネル１の全長にわたり固定され、また、断熱パネル１の下端面１ｌには、同じく亜鉛鋼板などの金属板を折り曲げ加工して形成される細長いさや部材５（後述）が、該断熱パネル１の全長にわたり埋入固定される。
【００１３】
前記断熱パネル１は、高断熱性であり、しかも軽量であるポリスチレン、ポリウレタンなどの硬質の発泡合成樹脂材により構成され、たとえば、その密度が２０〜４０ｋｇ／m3であり、その厚さが約５０ｍｍである。前記断熱パネル１の外面１ｏおよび内面１ｉは、いずれも平坦面に形成されている。図１に示すように、断熱パネル１の上端面１ｕには、その全長にわたりその厚み方向の中間部に差込溝４が形成される。
【００１４】
前記Ｔバー２は、断熱パネル１の横方向の長さと略同じ長さを有して細長く形成されており、上下方向に延びる鉛直部２ｖと、その中間部の一側より水平に張出す水平部２ｈとを有し、横断面Ｔ字状に形成されている。前記水平部２ｈには、その長手方向に間隔をあけて複数の取付孔３…が穿設されている。断熱パネル１の前記差込溝４には、Ｔバー２の鉛直部２ｖの下半部が差込固定され、またその水平部２ｈは、断熱パネル１の上端面１ｕに着座される。
【００１５】
また、図１，３に示すように、断熱パネル１の下端面には、その全長にわたり、その厚み方向の中間部に切れ込み６が形成され、この切れ込み６には、その全長にわたりさや部材５が埋設固定される。このさや部材５は、断熱パネル１の横方向の長さと略同じ長さを有して細長く形成されており、その横断面は上下に細長いチャンネル状に形成され、その開口下端には末広状に拡開された案内部５ｇが一体に形成されている。このさや部材５は、断熱パネル１の前記切れ込み６に埋入されて、前記Ｔバー２の鉛直部２ｖの延長線上にあって、その開口下端の案内部５ｇは断熱パネル１の下端面に拡開される。そして、後に述べるように、このさや部材５には、他の断熱パネル１の上端面に固定されるＴバー２の鉛直部２ｖの上半部が抜差可能に差し込み連結される。
【００１６】
しかして、このさや部材５は、断熱パネル１の補強部材、特に、前記Ｔバー２の連結される断熱パネル１の下部を補強し、また、前記Ｔバー２による上、下段の断熱パネル１の結合の容易性を高めるに役立つ。
【００１７】
図４に示すように、前記Ｔバー２と、さや部材５とは協働して、互いに上下方向に直列結合される上下段の断熱パネル１，１（図４において、上段の断熱パネル１に添字（Ｕ）を、下段の断熱パネル１に添字（Ｄ）を付す）を一体に結合する結合部材として利用され、また、Ｔバー２は、複数枚の断熱パネル１…によりコンクリート型枠Ｍを組み付ける際に、コンクリートの打設空間Ｓを存して互いに対峙される断熱パネル１，１同志を結合するアッセンブリタイ９の差込係合金具として利用される。
【００１８】
つぎに、図４を参照して、主体部が発泡合成樹脂製の断熱パネル１よりなる型枠兼断熱建材を用いて、建築用コンクリート型枠Ｍを組み付ける場合について説明する。
【００１９】
コンクリート型枠Ｍは、基礎Ｂ上に、コンクリート打設空間Ｓを存して互いに平行に設置される内、外側型枠壁Ｍｉ，Ｍｏより構成されており、これら内、外側の型枠壁Ｍｉ，Ｍｏは、何れも複数の断熱パネル１を、前述したようにＴバー２およびさや部材５を用いて鉛直方向に接続して構成される。この接続状態では、互いに対応する各段の断熱パネル１（Ｕ），１（Ｕ）；１（Ｄ），１（Ｄ）同士は、Ｔバー２の複数の取付孔３，３にアッセンブリタイ９の両端を差し込み係合することにより一体に連結される。
【００２０】
前述のように、互いに対応する下段の断熱パネル１（Ｄ），１（Ｄ）同士を複数のアッセンブリタイ９…により結合したのち、各下段の断熱パネル１（Ｄ），１（Ｄ）の上端面より突出する、Ｔバー２の鉛直部２ｖの上半部に、各上段の断熱パネル１（Ｕ），１（Ｕ）の下端面のさや部材５を差し込み結合する。これにより、上、下段の断熱パネル１（  Ｕ），１（Ｄ）は鉛直方向に直列して結合される。
【００２１】
そして、内、外側の型枠板Ｍｉ，Ｍｏ間のコンクリート打設空間Ｓに、図４に示すように、コンクリートを打設することにより、建築物のコンクリート躯体が成形される。
【００２２】
コンクリート躯体の成形完了後は、内、外側の型枠板Ｍｉ，Ｍｏは、そのまま断熱建材として使用でき、その際にそれらの平坦な外面には、モルタルなどの湿式外装材、あるいはタイルなどの乾式外装材を一面に積層するのが容易である。また、内、外側の型枠板Ｍｉ，Ｍｏは、コンクリート躯体から解体して通常の型枠板として再利用することもできる。
【００２３】
しかして、前述のように、コンクリート型枠Ｍを成形するにあたり、前述の下段の断熱パネル１（Ｄ）と上段の断熱パネル１（Ｕ）とを結合する場合に、図３に明瞭に示すように、さや部材５の開口下端には、末広状に拡開された案内部５ｇが形成されていることにより、このさや部材５へのＴバー２の鉛直部２ｖの差し込み操作が容易となり、しかも、Ｔバー２の先端で、上段の断熱パネル１（Ｕ）を傷つけたり、破損したりすることが防止される。したがって、下段の断熱パネル１（Ｄ）と上段の断熱パネル１（Ｕ）とを的確に結合できると共に結合作業能率を大幅に向上させることができる。また、各断熱パネル１は、その下部に、切れ込み６を入れたにもかかわらず、さや部材５により補強することができ、コンクリートの側圧により、たわんだり、破損したりすることがない。
【００２４】
つぎに、図５を参照して本発明の第２実施例について説明する。
【００２５】
図５は、本発明型枠兼断熱建材の一部破断斜視図であり、図中、前記第１実施例と同じ要素には、同じ符号が付される。
【００２６】
この第２実施例によるＴバー２は、複数のＴバー片２′…よりなり、各Ｔバー片２′は鉛直部２′ｖと、その中間部より水平に延びる水平部２′ｈとを有し、アッセンブリタイ９の端部が差し込まれる取付孔３が穿設されている。断熱パネル１の上端面１ｕには、その全長にわたって厚み方向の中間部に差込溝４が形成され、この差込溝４に、前記複数のＴバー片２′の鉛直部２′ｖの下半部が間隔をあけて差し込み固定される。複数のＴバー片２′…の鉛直部２′ｖの上半部は、他の断熱パネル１のさや部材５に抜差自在に差し込むことができ、下段の断熱パネル１上に上段の断熱パネル１を連結することができる。
【００２７】
そして、この第２実施例のものも前記第１実施例のものと同じ作用効果を奏する。
【００２８】
また、この第２実施例のものでは、複数のＴバー片２′…が、断熱パネル１の上端面２ｕの長手方向に間隔をあけて設けられることにより、断熱パネル１の切断作業が容易になる。
【００２９】
以上、本発明の実施例について説明したが、本発明はその実施例に限定されることなく、本発明の範囲内で種々の実施例が可能である。
【図面の簡単な説明】
【００３０】
【図１】型枠兼断熱建材の一部破断斜視図（第１実施例）
【図２】図１の２矢視の型枠兼断熱建材の平面図（第１実施例）
【図３】図２の３−３線に沿う断面図（第１実施例）
【図４】型枠兼断熱建材により組み立てられたコンクリート型枠の断面図（第１実施例）
【図５】型枠兼断熱建材の一部破断斜視図（第２実施例）
【符号の説明】
【００３１】
１・・・・・・断熱パネル
１ｕ・・・・・上端面
１ｌ・・・・・下端面
２・・・・・・Ｔバー
２ｈ・・・・・水平部（Ｔバーの）
２ｖ・・・・・鉛直部（Ｔバーの）
３・・・・・・取付孔
５・・・・・・さや部材
５ｇ・・・・・案内部
９・・・・・・アッセンブリタイ
Ｂ・・・・・・基礎
Ｍｉ・・・・・内側の型枠壁
Ｍｏ・・・・・外側の型枠壁
Ｓ・・・・・・打設空間
【図１】
2005163426.tif 000003
【図２】
2005163426.tif 000004
【図３】
2005163426.tif 000005
【図４】
2005163426.tif 000006
【図５】
2005163426.tif 000007